(57)【要約】【課題】しっかりとした耐火性能を備え、しかも、外壁としての体裁を備え、それでいて、外壁の修復やリフォームを施工容易に行うことができ、また、優れた外断熱性能を発揮することができる外断熱外壁構造を提供する。【解決手段】建物構造部分である柱１，パネルフレーム６等の外側に耐火面材５が形成され、その外側に発泡樹脂断熱板３が設けられ、該発泡樹脂断熱板３の屋外側の面部に仕上げの塗装４がなされている。【選択図】      図１
2005282255.tif 000002
【特許請求の範囲】
【請求項１】
建物構造部分の外側に耐火層を介して発泡樹脂断熱板が設けられ、該発泡樹脂断熱板の屋外側の面部に仕上げの塗装がなされていることを特徴とする外断熱外壁構造。
【発明の詳細な説明】
【技術分野】
【０００１】
本発明は、外断熱外壁構造に関する。
【背景技術】
【０００２】
従来の外断熱外壁構造では、鉄骨軸組などの建物構造部分の外側に発泡樹脂断熱板や無機繊維系断熱材などからなる断熱層を形成し、その外側に仕上げ及び耐火のための窯業系などの外壁を取り付けるのが一般的である。
【発明の開示】
【発明が解決しようとする課題】
【０００３】
しかしながら、上記のように、耐火機能を屋外側に面して備えさせる外断熱構造では、仕上げである外壁面に傷や損傷を生じてその修復を行うに際し、あるいは、将来的に外壁のリフォームを行うに際し、外壁面材の交換を必要とする場合に、耐火機能を備えた重い外壁面材の取外しと、新たな外壁面材の取付けを行う必要があり、工事が大掛かりなものになってしまうという問題がある。
【０００４】
本発明は、上記のような問題点に鑑み、しっかりとした耐火性能を備え、しかも、外壁としての体裁を備え、それでいて、外壁の修復やリフォームを施工容易に行うことができ、また、優れた外断熱性能を発揮することができる外断熱外壁構造を提供することを課題とする。
【課題を解決するための手段】
【０００５】
上記の課題は、建物構造部分の外側に耐火層を介して発泡樹脂断熱板が設けられ、該発泡樹脂断熱板の屋外側の面部に仕上げの塗装がなされていることを特徴とする外断熱外壁構造によって解決される。
【０００６】
この構造では、発泡樹脂断熱板の屋外側の面部に仕上げの塗装がなされて外壁面が構成されているので、仕上げである外壁面に傷や損傷を生じてその修復を行うに際して、あるいは、将来的に外壁のリフォームを行うに際して、外壁の交換を行う場合は、背後の耐火層は残して、屋外側の発泡樹脂断熱板を新たな発泡樹脂断熱板と交換するだけですみ、発泡樹脂断熱板は非常に軽量であって施工性に優れること、また、加工性にも優れていることなどによって、外壁の修復やリフォームを施工容易に行うことができる。
【０００７】
しかも、発泡樹脂断熱板は、外からの力に対する強度も充分兼ね備えており、また、屋外側の面部には仕上げの塗装もなされているので、外壁としての体裁を充分に備えることができる。加えて、発泡樹脂断熱板の背後には、耐火層が備えられているので、しっかりとした耐火性能を発揮することができる。
【０００８】
更に、耐火層の外側に発泡樹脂断熱板を設置することにより、建物の外周を断熱材ですっぽりと包み込むことができて高い外断熱性能を発揮することができ、しかも、それを施工容易に実現することができる。
【発明の効果】
【０００９】
本発明は、以上のとおりのものであるから、しっかりとした耐火性能を備え、しかも、外壁としての体裁を備え、それでいて、外壁の修復やリフォームを施工容易に行うことができ、また、優れた外断熱性能を発揮することができる。
【発明を実施するための最良の形態】
【００１０】
次に、本発明の実施最良形態を図面に基づいて説明する。
【００１１】
図１に示す実施形態の外断熱外壁構造は、住宅、事務所、店舗などの鉄骨軸組建物に用いられるもので、１は建物構造部分としての鉄骨柱であり、２は外壁パネル、３は外断熱用の発泡樹脂断熱板、４は塗装部である。
【００１２】
外壁パネル２は、耐火層となる窯業系などの耐火面材５と、耐火面材５の背面部に取り付けられて柱１とともに建物構造部分の一部を構成する鋼製パネルフレーム６とを備えたものからなっていて、パネルフレーム６が柱１の側面部に設置されて、柱１やパネルフレーム６等を含む建物構造部分が屋外側から耐火面材５で覆われたかたちとなっている。
【００１３】
発泡樹脂断熱板３は、スチレンやウレタンなどからなっていて、耐火面材５の屋外側の面部に沿うようにして取り付けられ、建物外壁を外断熱構造にしている。発泡樹脂断熱板３は、建方を行う前の外壁パネル２に予め取り付けられていてもよいし、外壁パネル２とは別に用意して、現場で耐火面材５の屋外側に取り付けるようにしてもよい。後者の場合は、耐火面材５，５の目地部位置と、発泡樹脂断熱板３，３の目地部の位置を自由にずらせて施工することができ、発泡樹脂断熱板３を取り付けるだけでかなり高い止水性能を確保することができ、止水の施工を簡素化することができて容易に行っていくことができる。
【００１４】
塗装部４は、例えば、樹脂モルタルなどからなり、発泡樹脂断熱板３の屋外側の面部に現場塗装で形成されたものである。塗装を、上記のような樹脂モルタルなどで行う場合は、塗装のひび割れを防ぐため、樹脂ネット７を用いるとよい。なお、塗装剤の種類の制限はなく、種々の塗装材が用いられてよいし、塗装方法も、吹付けやハケ塗りなど種々の方法で行われてよい。また、塗装は、予め工場などで行われていてもよい。
【００１５】
上記の外断熱外壁構造では、発泡樹脂断熱板３の屋外側の面部に仕上げの塗装部４が形成された外壁面が構成されているので、仕上げである外壁面に傷や損傷を生じてその修復を行うに際して、あるいは、将来的に外壁のリフォームを行うに際して、外壁の交換を行う場合は、背後の耐火面材は残して、屋外側の塗装部４付きの発泡樹脂断熱板３を交換するだけですみ、発泡樹脂断熱板３は非常に軽量であって施工性に優れること、また、加工性にも優れていることなどによって、外壁の修復やリフォームを施工容易に行うことができる。特に、２階立て、３階立ての建物の階上の外壁の修復やリフォームを軽量な発泡樹脂断熱板３を用いて行えることにより、工事をクレーンなどを用いず施工容易に、そして、安全かつ能率良く遂行していくことができる。
【００１６】
しかも、発泡樹脂断熱板３は、外からの力に対する強度も充分兼ね備えており、また、屋外側の面部には仕上げの塗装部４も形成されているので、外壁としての体裁を充分に備えることができると共に、外壁は、発泡樹脂断熱板３の背後に耐火面材５を備えているので、しっかりとした耐火性能を発揮することができる。
【００１７】
更に、耐火面材５の外側に発泡樹脂断熱板３を設置することにより、建物の外周を断熱材３ですっぽりと包み込むことができて高い外断熱性能を発揮することができ、しかも、それを施工容易に実現することができる。
【００１８】
以上に、本発明の実施形態を示したが、本発明はこれに限られるものではなく、発明思想を逸脱しない範囲で各種の変更が可能である。例えば、上記の実施形態では、建物構造部分が鉄骨軸組からなる場合を示しているが、木造軸組であってもよいし、軸組以外の構造をしたものであってもよい。
【図面の簡単な説明】
【００１９】
【図１】実施形態の外断熱外壁構造を示すもので、図（イ）は断面平面図、図（ロ）は構成部材を分離させた分解断面平面図である。
【符号の説明】
【００２０】
１…柱（建物構造部分）
３…発泡樹脂断熱板
４…塗装部
５…耐火面材（耐火層）
６…パネルフレーム（建物構造部分）
【図１】
2005282255.tif 000003